(57)【要約】  【課題】  音声に多重化されたデジタルデータを即座にかつ確実に利用できるようにする。  【解決手段】  発呼側電話機１００のマイクロホン１０１は、発呼者の音声を電気信号に変換し、デジタルデータ多重化部１０２は音声を表す電気信号に、デジタルデータ入力部１０３から入力されたデジタルデータを多重化する。デジタルデータが多重化された、音声を表す電気信号は信号送信部１０５を介して着呼側電話機２００に送られる。着呼側電話機２００の信号受信部２０１は発呼側電話機からの音声を表す電気信号を受信し、デジタルデータ多重分離部２０２は電気信号に多重化されているデジタルデータを多重分離する。音声を表す電気信号はスピーカ２０３に送られ、スピーカにより変換された音声を着呼者が聞く。デジタルデータ処理部２０４は多重分離されたデジタルデータをデジタルデータ多重分離部２０２から受け取り、所望の処理を実行する。【選択図】  図１
2006203643.tif 000002
【特許請求の範囲】
【請求項１】
音の波形を表す電気信号から、上記音に多重化されているデジタルデータを抽出するデジタルデータ抽出手段と、
抽出したデジタルデータを処理するアプリケーション実行手段とを有することを特徴とするデジタルデータ処理装置。
【請求項２】
音を電気信号に変換する変換手段を有し、上記デジタルデータ抽出手段は、上記電気信号から、上記上記音に多重化されているデジタルデータを抽出する請求項１記載のデジタルデータ処理装置。
【請求項３】
音の波形を表す電気信号を受信する受信手段を有し、上記デジタルデータ抽出手段は、上記受信手段で受信した上記電気信号から、上記上記音に多重化されているデジタルデータを抽出する請求項１記載のデジタルデータ処理装置。
【請求項４】
上記音は、所定のパターンの可聴領域の基本パターン音に上記デジタルデータが多重化されたものである請求項１〜３のいずれかに記載のデジタルデータ処理装置。
【請求項５】
上記基本パターン音の開始時点より遅延して上記デジタルデータが多重化開始されており、上記デジタルデータ抽出手段は、上記基本パターン音の開始時点を判別して上記デジタルデータの抽出を開始する請求項４記載のデジタルデータ処理装置。
【請求項６】
音を表す電気信号にデジタルデータを多重化する多重化手段と、
多重化した電気信号を配信する配信手段とを有することを特徴とするデジタルデータ多重化装置。
【請求項７】
電話回線を介して送られた、音の波形を表す電気信号から、上記音に多重化されているデジタルデータを抽出するデジタルデータ抽出手段と、
抽出したデジタルデータを処理するアプリケーション実行手段とを有することを特徴とする電話機。
【請求項８】
上記アプリケーション実行手段は、抽出したデジタルデータにより宛先指定された宛先に対して通信を行なう請求項７記載の電話機。
【請求項９】
電話回線を介して送られた、音の波形を表す電気信号から、上記音に多重化されているデジタルデータを抽出するデジタルデータ抽出手段と、
抽出したデジタルデータを処理するアプリケーション実行手段とを有することを特徴とする放送信号再生装置。
【請求項１０】
電話回線を介して送られた、音の波形を表す電気信号から、上記音に多重化されているデジタルデータを抽出するデジタルデータ抽出手段と、
抽出したデジタルデータを処理するアプリケーション実行手段とを有することを特徴とするリモートコントローラ装置。
【発明の詳細な説明】
【技術分野】
【０００１】
この発明は、音声をバーコードとして用いる音声処理技術に関する。
【背景技術】
【０００２】
１次元または２次元の画像から成るバーコードが実用されている。バーコードを用いることによりデジタルデータを即時かつ確実に取得することができる。
【０００３】
ことろで音声により情報が伝播される場合、その情報を即時かつ確実に取得することが困難である。例えば、電話を使用しているときにその受話器（スピーカ）から音声が流れてくるときに、そこに重要な情報があっても、それをメモしなければ利用できない。また、テレビやラジオの番組を視聴しているときに重要な情報が音声により伝達される場合も同様である。
【０００４】
しかも、音声により伝搬される情報は、人または音声認識装置等を用いなければ情報として顕在化させることができず、そのような情報を携帯電話機、パーソナルコンピュータに入力するときには、人または特殊な認識装置を用いて入力処理を行なう必要があり、扱いが煩雑である。
【発明の開示】
【発明が解決しようとする課題】
【０００５】
この発明は、以上の事情を考慮してなされたものであり、音声を用いて即時かつ確実に情報を取得できるようにする音声処理技術を提供することを目的としている。
【課題を解決するための手段】
【０００６】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００７】
すなわち、この発明の一側面によれば、上述の目的を達成するために、デジタルデータ処理装置に：音の波形を表す電気信号から、上記音に多重化されているデジタルデータを抽出するデジタルデータ抽出手段と；抽出したデジタルデータを処理するアプリケーション実行手段とを設けるようにしている。
【０００８】
この構成においては、音声に多重化されたデジタルデータを即座にかつ確実に利用することができる。
【０００９】
この構成において、音を電気信号に変換する変換手段を設け、上記デジタルデータ抽出手段が、上記電気信号から、上記上記音に多重化されているデジタルデータを抽出するようにしてもよい。この場合、外来音声からデジタルデータを抽出する。
【００１０】
また、音の波形を表す電気信号を受信する受信手段を設け、上記デジタルデータ抽出手段が、上記受信手段で受信した上記電気信号から、上記上記音に多重化されているデジタルデータを抽出する用にしても良い。この場合、外来電気信号からデジタルデータを抽出する。
【００１１】
上記音は、所定のパターンの可聴領域の基本パターン音に上記デジタルデータが多重化されたものであることが好ましいが、これに限定されない。この基本パターン音または基本パターン音の相違によりデジタルデータが搬送されていることや、どのようなデジタルデータが搬送されているかをユーザが判別可能となる。
【００１２】
上記基本パターン音の開始時点より遅延して上記デジタルデータが多重化開始されており、上記デジタルデータ抽出手段は、上記基本パターン音の開始時点を判別して上記デジタルデータの抽出を開始するようにしてもよい。
【００１３】
また、この発明は電話機やテレビジョン受像機、ラジオ受信機、リモートコントロール装置等として実現することも可能である。
【００１４】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１５】
この発明の上述の側面および他の側面は特許請求の範囲に記載され以下実施例を用いて詳述される。
【発明の効果】
【００１６】
この発明によれば、音声に多重化されたデジタルデータを即座にかつ確実に利用できる。
【発明を実施するための最良の形態】
【００１７】
以下、この発明の実施例について説明する。
【実施例１】
【００１８】
まず、この発明のデジタルデータ処理技術を電話機に適用した実施例１について説明する。なお、以下では対象となるデジタルデータをサウンドバーコードともいう。
【００１９】
図１は、この実施例の電話機およびその使用環境を示しており、この図において、発呼側電話機１００から着呼側電話機２００に電話回線１５０を介して電話をかける例が示されている。図では交換局等は省略されている。発呼側電話機１００には発呼側の機能部分のみ示し、着呼側電話機２００には着呼側の機能部分のみ示し、それぞれの相補する機能部分は示さないが、それらを有することはもちろんである。発呼側電話機１００は、発呼に関連する機能部分としてマイクロホン１０１、デジタルデータ多重化部１０２、デジタルデータ入力部１０３、デジタルデータ記憶部１０４、信号送信部１０５、表示部１０６等を有している。着呼側電話機２００は、着呼に関連する機能部分として信号受信部２０１、デジタルデータ多重分離部２０２、スピーカ２０３、デジタルデータ処理部２０４、デジタルデータ記憶部２０５、表示部２０６等を有している。発呼に関連して用いる表示部１０６と着呼に関連して用いる表示部２０６は通常同一であるが、それに限定されない。
【００２０】
発呼側電話機１００のマイクロホン１０１は、発呼者の音声を電気信号に変換し、デジタルデータ多重化部１０２は音声を表す電気信号（ベースバンド信号、サブバンド信号、デジタル信号等）に、デジタルデータ入力部１０３から入力されたデジタルデータを多重化する。多重化手法としては、後に一例を挙げて説明するが、ＦＦＴ（ファーストフーリエ変換）、ＤＣＴ（離散コサイン変換）、スペクトル拡散法等の種々の手法を採用できる。デジタルデータ自体を適宜な周波数に周波数コンバートしたものでも良い。デジタルデータが多重化された、音声を表す電気信号は信号送信部１０５を介して着呼側電話機２００に送られる。
【００２１】
着呼側電話機２００の信号受信部２０１は発呼側電話機からの音声を表す電気信号を受信し、デジタルデータ多重分離部２０２は電気信号に多重化されているデジタルデータを多重分離する。多重分離手法は、多重化に対応したものである。音声を表す電気信号はスピーカ２０３に送られ、スピーカにより変換された音声を着呼者が聞く。デジタルデータ処理部２０４は多重分離されたデジタルデータをデジタルデータ多重分離部２０２から受け取り、所望の処理を実行する。例えば、デジタルデータが示す宛先に発呼したり、ウェブ閲覧を行なったり、指定宛先に電子メールを送信したり、デジタルデータの詳細を表示したりする。デジタルデータ処理部２０４の処理は、例えば、アプリケーションプログラムや組み込みプログラムにより実現される。
【００２２】
図２は、発呼側電話機１００、着呼側電話機２００の例を示すものであり、この図では電話機を符号１０を用いて表す。図２において、電話機１０は、表示部１１（表示部１０６、２０６に対応）、キー操作部１２、デジタルデータ入力ボタン１３、デジタルデータ記録ボタン１４等を具備している。キー操作部１２、デジタルデータ入力ボタン１３、デジタルデータ記録ボタン１４等は、表示部１１に表示されて表示部１１を介して入力等を行なうものでも良い。キー操作部１２は電話番号やアルファベットを入力したり、各種のモード設定、状態遷移等を制御するものであり、表示部１１に操作内容等が表示される。また、電話機１０はウェブ閲覧機能１５はメール閲覧・送信機能１６を有している。
【００２３】
なお、図２の電話機１０は、移動体通信の携帯電話機を示しているが、それに限定されず、固定電話機等であってもよい。
【００２４】
図３は、図１の発呼側電話機１００のデジタルデータ入力部１０３を用いてデジタルデータを入力する際の表示部１１（１０６）の表示例を示している。図３に示すように多重化データ作成画面に移り、電話番号や電子メールアドレスやウェブのＵＲＬ等をキー操作部１２等を用いて入力する。「登録」ボタン１１ａを操作して入力内容を多重対象のデジタルデータとして登録できる。複数のデジタルデータを区切りコードを用いて一度の処理することもできる。こののち、通話時に、デジタルデータ入力ボタン１３を押圧操作することによりデジタルデータを通話音声に多重化開始できる。
【００２５】
図４は、図１の着呼側電話機２００で受信した通話音声中のデジタルデータの受信画面の例を示している。操作者（着呼ユーザ）がデジタルデータ記録ボタン１４を押圧操作することにより通話音声中のデジタルデータが多重分離されて表示部１１（２０６）に「受信中」と表示される。デジタルデータ記録ボタン１４を再度押すと記録解除される。記録解除ボタンを別途設けても良い。デジタルデータ記録ボタン１４を設けずに、通話中は常に多重分離処理および分離データの記録が行なわれるようにしても良い。多重分離されたデジタルデータはデジタルデータ記憶部２０５に記憶され、記録内容を閲覧することが可能である。この閲覧表示例を図５に示す。図５の例では記録済みデジタルデータに関して送信元（電話番号や、氏名（アドレス帳を用いて電話番号から変換）、受信時刻、内容等が表示されるようになっているが、これに限定されない。記録済みのデジタルデータのエントリの１つを選択（表示反転）させ、その後、「接続ボタン」１１ｂを選択操作すると、通話ソフトウェア、メールソフトウェア、閲覧ソフトウェアが起動して、通話、メール通信、閲覧要求等を行なえる。また「詳細ボタン」１１ｃを選択操作してその内容すべてを表示させることができる。
【００２６】
つぎにこの実施例のデジタルデータ多重化・多重分離の手法について説明する。もちろんこれ以外の種々の手法を採用してもよい。
【００２７】
この例では、後に詳述するように音声周波数帯にデジタル情報を重畳する。仕組みとしては、従来のモデム技術の応用となる。
【００２８】
この例では、つぎの二つのタイプを実装可能する。
【００２９】
（１）可聴タイプ
基本的に短い（数秒程度）。
人間が聞いて、それとわかる。
可聴域（６０〜１５０００Ｈｚ）を主に使用。
音声圧縮に耐える。
耳触りが良い。
ノイズに強い。
【００３０】
（２）非可聴（ステルス）タイプ
短い（数秒）場合も、長い場合（数分程度）もある。
人間には聞こえない
非可聴域を使用。
ノイズに耐性あり。
複数の内容を格納可能。
【００３１】
基本的な多重化手法はつぎのとおりである。
【００３２】
（１）周波数、エネルギー（音量）、時間を使用してビット表現を行う。（後述）
（２）可聴タイプについては、可聴域で作成する。「この音がサウンドバーコードである」と聴いてわかるための仕組みは、以下のとおり。
（ａ）基本構造の波形（基本波形）をあらかじめ定義する。それがサウンドバーコードの特徴を示す（一種のサウンドロゴ）。聞いてサウンドバーコードとすぐ理解できる音である。
（ｂ）それとは別に表現したいビット列を埋め込んだ波形を作成し、それを基本波形に重ねることで完成する。
（ｃ）表現したいビット列は、元のビット列に対して圧縮・エラー訂正・ヘッダー付加といった加工を施したものとする。
（ｄ）基本波形に重ねる際は、電子透かしの技術を用いてもよい。その場合には、元の音がある程度変化する。ただし耳障りのよい範囲とする。
（３）ステルスタイプでは、非可聴域を使用するため、耳障りは考慮しない。また大量データの搬送を考慮してエラー耐性を強化する。
【００３３】
図６はデジタルデータを多重化する際の階層モデルおよびその例を示している。図６においてペイロード層はデジタルデータを格納するためのものである。プロトコルヘッダー層はデジタルデータを処理するプロトコルやバージョン情報等を格納するためのものである。制御ヘッダー層は複数チャネル区分制御、暗号化を行う際の制御情報を格納するためのものである。エラー制御層は微たび復号等を用いた誤り訂正の情報を格納するためのものである。符号化・伝送技術層はベース波形との合成・切り分けおよびＦＦＴを行なう際の制御情報を格納するためのものである。ベース波形はサウンドバーコードを特徴づける音である。
【００３４】
このようなプロトコルスタックを用いてビット列（デジタルデータ、サウンドバーコード）をサウンドバーコード音声に変換する。
【００３５】
符号化・伝送技術層におけるビット列・アナログ音声変換の方式は以下のとおり。
【００３６】
基本的には、周波数帯を分割し、それぞれ毎のエネルギー強度（音圧）にビットを割り当てて表現とする。それを時間軸に展開する。なお時間ごとの変化量で表現してもよい。
【００３７】
デジタルデータを多重化して音声出力する場合、デジタル情報（ビット列）をＦＦＴにより上記波形群として合成し、ベース波形と合成の上で音声発生させる。ビット列の状態でベース波形と合成する演算を行っても良い。
【００３８】
音声を入力してデジタルデータを多重分離する場合、上記の逆に、マイク等より取得した（アナログ）音声を、ＦＦＴによりビット列とする。なお、ベース波形の除去は行う場合もあれば、行わずにエラー訂正に任せる場合もある。
【００３９】
図７は、デジタルデータ多重分離部２０２の構成例を示している。図７において、デジタルデータ多重分離部２０２は、アナログ・デジタル変換部２０２１、波形変換部２０２２、エラー訂正部２０２３、暗号処理部２０２４、チャネル情報処理部２０２５、プロトコルデータ処理部２０２６等を含んで構成されている。アナログ・デジタル変換部２０２１はアナログ入力された音を、デジタル化する。波形変換部２０２２はベース波形との切り分けおよびＦＦＴを行う。エラー訂正部２０２３は巡回符号等を用いた誤り訂正を行う。暗号処理部２０２４は暗号化されていた場合、その復号を行う。使用する鍵は、受信機内部に保持されている。チャネル情報処理部２０２５は利用するチャネル情報を取得し、チャネル外の情報をフィルタリングする。プロトコルデータ処理部２０２６はデータを処理するプロトコル識別情報およびバージョン情報等を取得する。最終的に取得されたデジタルデータはアプリケーションソフトウェア（デジタルデータ処理部２０４）で処理される。
【００４０】
図８は、デジタルデータ多重化部１０２の構成例を示している。図８において、デジタルデータ多重化部１０２は、プロトコルデータ付与部１０２１、チャネル情報付与部１０２２、暗号処理部１０２３、エラー符号化部１０２４、波形変換部１０２５等を含んで構成されている。プロトコルデータ付与部１０２１はプロトコル識別情報およびバージョン情報等を付与し、チャネル情報付与部１０２２は利用するチャネル番号を付与する。暗号処理部１０２３は必要な場合に暗号化を行なう。エラー符号化部１０２４は巡回符号等を用いた誤り訂正のための冗長化を行う。波形変換部１０２５はベース波形との合成およびＦＦＴを行う。最終的に得られたサウンドバーコードファイル（ストリーム）は通信回線や放送回線を介して配布される。この例では信号送信部１０５により着呼側電話機２００に送信される。
【００４１】
このようにこの実施例によれば、音声に多重化させたデジタルデータを即座にかつ確実に用いることができる。
【００４２】
なお、ベース音（基本パターン音）の開始時点より遅延して上記デジタルデータが多重化開始するようにすることが好ましい。そのようにすれば、ユーザは確実にデジタルデータの多重化の事実を知ることができ、その後に多重分離処理の指示（ボタン操作）を行なってもデジタルデータを確実に取得できる。またベース音を自動判別して多重分離処理を起動するようにしても良い。
【実施例２】
【００４３】
つぎにこの発明を放送技術に適用した実施例２について説明する。
【００４４】
図２は実施例２の構成を示しており、この図において図１と対応する箇所には対応する符号を付した。この例では、テレビジョン放送局３００でデジタルデータを多重化し、テレビジョン受像機４００でデジタルデータを多重分離している。テレビジョン放送におけるビデオ信号に関する部分については省略した。音声部分に関しても簡略化して示した。また、テレビジョン放送局３００においてデジタルデータ多重化部１０２により多重化した音声部分の信号はビデオ部分の信号と共にテレビジョン信号に合成され、そのまま、あるいは、一旦、記録された後にテレビジョン受像機４００側に配信される。テレビジョン受像機４００は多重分離されたデジタルデータを画面（表示部２０６）に表示したりする。テレビジョン受像機４００がインテリジェント化されたものであり、情報処理が可能なものであれば、デジタルデータをアプリケーションプログラムにより処理することもできる。もちろん、テレビジョン受像機４００は、テレビジョン受像機の機能を有するパーソナルコンピュータでもよいし、ＣＡＴＶ等のセットトップボックスでも良い。
【００４５】
また、音声部分にデジタルデータを多重化するのに併せてあるいは単独で映像部分にデジタルデータを多重化させてこれをアプリケーションプログラム等で利用したり表示したりしても良い。またクローズドキャプションデータを音声部分や映像部分に多重化してデジタルデータとして送っても良い。この場合、音声部分の多重化に関しては非可聴帯域に多重化することが好ましい。
【００４６】
またテレビジョン放送でなくラジオ放送に適用しても良い。
【実施例３】
【００４７】
つぎにこの発明をリモートコントローラ装置に適用した実施例３について説明する。
【００４８】
図１０は実施例３のリモートコントローラ装置５００およびその利用環境を示しており、この図において、リモートコントローラ装置５００は、マイクロホン５０１、デジタルデータ多重分離部５０２、デジタルデータ処理部５０３、デジタルデータ記憶部５０４、表示部５０５、リモートコントロール主回路部５０６、制御信号送信部５０７等を含んで構成されている。デジタルデータ多重分離部５０２、デジタルデータ処理部５０３、デジタルデータ記憶部５０４、表示部５０５は、図１のデジタルデータ多重分離部２０２、デジタルデータ処理部２０４、デジタルデータ記憶部２０５、表示部２０６とそれぞれ対応するものである。この例では、例えば、テレビジョン受像機６００のスピーカ６０１からの音声をマイクロホン５０１で電気信号に変換してデジタルデータ多重分離部５０２で多重化デジタルデータを分離して利用する。リモートコントロール主回路部５０６はリモートコントロール用の主たる動作を実現するものであり、制御信号送信部５０７は例えば赤外線により制御信号をテレビジョン受像機６００の制御信号受信部６０２に送信する。テレビジョン受像機６００の制御部６０３は制御信号受信部６０２で受信した制御信号に基づいたチャンネル切り替え、オンオフ制御等、種々の制御を行なう。デジタルデータ処理部５０３はアプリケーションプログラムを実行する。
【００４９】
この例でも、例えば、リモートコントローラ装置５００でアプリケーションプログラムが実行されてデジタルデータを適宜に利用する。
【００５０】
なお、リモートコントローラ装置５００は、テレビジョン受像機６００以外の電気機器７００を制御するためのものでもよいし、汎用的な（テレビジョン受像機を含む複数の電気機器を制御できる）リモートコントローラ装置でも良い。例えば、電子レンジ等を制御するリモートコントローラ装置であれば、テレビジョン受像機６００からの音声情報からレシピ情報のデジタルデータを多重分離して取得し電子レンジに自動設定できるようにしてもよい。
【００５１】
また、移動体通信等の携帯型の電話機にリモートコントローラの機能を持たせて同様にデジタルデータの多重分離を行なうようにしても良い。このようにすると、テレビジョン放送やラジオ放送の音声部分、映像部分に多重化されたデジタルデータを用いて発呼したり、ウェブ閲覧したり、電子メール送信を行なったりすることができる。
【実施例４】
【００５２】
つぎにこの発明を汎用的な情報処理装置に適用した実施例４について説明する。
【００５３】
図１１はこの実施例の情報処理装置８００（例えばパーソナルコンピュータやＰＤＡ等の携帯型の情報機器、インテリジェント電話機等）を示しており、この図において図１０と対応する箇所には対応する符号を付した。この実施例では、外来音声に多重化されているデジタルデータをデジタルデータ多重分離部５０２で多重分離し、これをデジタルデータ処理部５０３（アプリケーションプログラム実行部）で利用する。デジタルデータが多重化された音声の音源はテレビジョン受像機、ラジオ受信機、電話機等に限定されず、ひろくスピーカにより電気音響変換されたものであれば良い。なお、スピーカ等に入力される前の電気信号を所定の端子から取りだして利用するようにしても良い。
【００５４】
以上実施例について説明したが、これら実施例やその代替例によれば、とくに可聴タイプのものでは、画像バーコードのように、「あるシンボルが一目見てそれとわかり、それに対する「読み取り」を人間が機械に指示することで、シンボルにエンコードされた個別情報を抽出・処理できる仕組み」の音声版が実現できる。
【００５５】
また、デジタル情報を圧縮して音に変換し、受け渡しを行うという仕組みなので、近距離機器間通信の領域でも利用可能であり、近距離向けの微弱電波によるデータ通信（例えばＢｌｕｅｔｏｏｔｈ（商標））にも最適である。例えば、携帯電話でダウンロードしたレシピを音声により電子レンジにセットすることができる。
【００５６】
また、アクセシビリティ技術として、音に字幕やＵＲＬを付加するという機能を生かし、防災放送等の際に聴覚障害の人でも携帯電話のマイクを通じてサウンドバーコードを取り込むことで、画面に放送内容が表示されるようにできる。
【００５７】
また、メディア多重化技術として、見えるラジオと同様に、ＦＭ放送で現在流れている楽曲のタイトル、アーティスト、購入先ＵＲＬを曲の最初にサウンドバーコードで埋め込み、ラジオでそれを識別し、液晶画面に表示したり、ネット接続環境であればダウンロードサイトを表示やセットすることができる。
【００５８】
さらに、「人が識別できる」という形式でなく、例えば可聴域外の周波数を使い、「人にはわからない」という形式も可能である（非可聴タイプ）。
【００５９】
具体的には、リアルタイム音声字幕を実現できる。高周波領域の音を使用して、音声情報の内容をテキスト化してリアルタイムで流す。その音を携帯電話のマイクで拾ってデコードし、画面に字幕を表示する。英語等も可能である。
【００６０】
また「サウンドチラシ」（音声によりチラシを実現する）を構成できる。すなわち、街頭で宣伝文句を連呼するのと同時に、高周波を使用して各自の携帯電話にデジタルチラシを配布・表示することができる。
【００６１】
またファイル転送を行なえる。すなわち、パソコンと携帯電話との間、携帯電話と携帯電話との間等のファイル転送手段（片方向通信）として、赤外線通信の代替として使用することができる。
【００６２】
上述の実施例の技術をバーコードに比べた場合、紙媒体に印刷されたバーコードと異なり、同時に複数の利用者が利用可能である。例えば駅のアナウンスで利用して時刻表を全ユーザーが同時に受け取ることができる。
【００６３】
また上述の実施例の技術をＦＡＸ・モデム等に比べた場合、サウンドバーコードの中に格納されたデータは、チャネル情報を付与されており、同時に複数のサウンドバーコードが鳴っていてもチャネル情報によって混同することなく識別が可能であるという利点がある。
【００６４】
さらに、Ｆａｘ・モデム等に比べた場合、常時動作する点が異なる。受信機が常時マイクにより外部音声をモニタリングし、その音にサウンドバーコードが含まれていれば自動的にデータが取得される。（当該機能をオフにし、利用者が指定したときのみ動作することも可能）
【００６５】
さらに、Ｆａｘ・モデム等に比べた場合、配信チャネルやキーワードマッチングにより、特定の利用者のみを対象とした情報伝送が可能である。
【００６６】
また、バーコードに比べた場合、情報量の可変性が高い。短い時間で、人間に耳障りの良い音を使用して少量（数十バイト）の情報を付与することもあれば、非可聴領域の音を使用して数分間で数万バイトのデータ転送も可能である。
【図面の簡単な説明】
【００６７】
【図１】この発明の実施例１の構成を説明する図である。
【図２】実施例１の電話機の例を説明する図である。
【図３】実施例１の多重化データ入力動作を説明する図である。
【図４】実施例１の多重化データの多重分離動作を説明する図である。
【図５】実施例１の多重分離したデジタルデータの利用例を説明する図である。
【図６】実施例１の多重化の階層モデルを説明する図である。
【図７】実施例１のデジタルデータ多重分離部２０２の構成例を説明する図である。
【図８】実施例１のデジタルデータ多重化部１０２の構成例を説明する図である。
【図９】この発明の実施例２の構成を説明する図である。
【図１０】この発明の実施例３の構成を説明する図である。
【図１１】この発明の実施例４の構成を説明する図である。
【符号の説明】
【００６８】
１０      電話機
１１      表示部
１２      キー操作部
１３      デジタルデータ入力ボタン
１４      デジタルデータ記録ボタン
１５      ウェブ閲覧機能
１６      メール閲覧・送信機能
１００      発呼側電話機
１０１      マイクロホン
１０２      デジタルデータ多重化部
１０３      デジタルデータ入力部
１０４      デジタルデータ記憶部
１０５      信号送信部
１０６      表示部
１５０      電話回線
２００      着呼側電話機
２０１      信号受信部
２０２      デジタルデータ多重分離部
２０３      スピーカ
２０４      デジタルデータ処理部
２０５      デジタルデータ記憶部
２０６      表示部
３００      テレビジョン放送局
４００      テレビジョン受像機
５００      リモートコントローラ装置
５０１      マイクロホン
５０２      デジタルデータ多重分離部
５０３      デジタルデータ処理部
５０４      デジタルデータ記憶部
５０５      表示部
５０６      リモートコントロール主回路部
５０７      制御信号送信部
６００      テレビジョン受像機
６０１      スピーカ
６０２      制御信号受信部
６０３      制御部
７００      電気機器
８００      情報処理装置
１０２１      プロトコルデータ付与部
１０２２      チャネル情報付与部
１０２３      暗号処理部
１０２４      エラー符号化部
１０２５      波形変換部
２０２１      アナログ・デジタル変換部
２０２２      波形変換部
２０２３      エラー訂正部
２０２４      暗号処理部
２０２５      チャネル情報処理部
２０２６      プロトコルデータ処理部
【図１】
2006203643.tif 000003
【図２】
2006203643.tif 000004
【図３】
2006203643.tif 000005
【図４】
2006203643.tif 000006
【図５】
2006203643.tif 000007
【図７】
2006203643.tif 000008
【図８】
2006203643.tif 000009
【図９】
2006203643.tif 000010
【図１０】
2006203643.tif 000011
【図１１】
2006203643.tif 000012
【図６】
2006203643.tif 000013